(57)【要約】【課題】原稿の画像データの読み込み、画像処理、印刷出力等の各機能の処理効率を向上でき、同時に複数機能の並行動作が行えること。【解決手段】原稿の読み込みのパスａは、原稿データ入力制御部２０１，変倍ブロック２０２，データ圧縮部１５０３，セレクタ２（２０７），データ変換部１５０４，パラレルデータＩ／Ｆ１５０５となる。コピー時の印刷出力のパスｂは、パラレルデータＩ／Ｆ１５０５，データ変換部１５０４，データ伸張部１５０６，セレクタ１（２０６），画像データ出力制御部２０３となりパスａと重ならない。これにより、コピー機能時における原稿の画像データ読み込みと印刷出力の同時並行動作が実現できる。【選択図】　　　図４
2004048113.tif 000002
【特許請求の範囲】
【請求項１】
原稿画像をスキャナーを用いて読み取った際の画像データを画像メモリーに蓄積し、所望時に該画像データを前記画像メモリーから読み出し転写画像として印字出力する画像処理装置において、
前記画像データに対し、前記スキャナーを用いた読み込み時のスキャナー補正を行う処理系統と、画像データに対する階調処理を実行する処理系統とを備えた画像処理手段と、
前記画像処理手段によるスキャナー補正処理が施された画像データを受けて変倍、データ圧縮等の画像処理を行い前記画像メモリーに格納する第１の処理系統と、
前記画像処理手段によるスキャナー補正処理が施された画像データを受けて変倍等の画像処理を行った後、該画像データを前記画像処理手段による前記階調処理を施して前記画像メモリーに格納する第２の処理系統とを備えた画像データ制御手段と、
を具備することを特徴とする画像処理装置。
【請求項２】
前記画像データ制御手段には、
前記原稿画像を多階調で前記画像メモリーに格納する処理時においては前記第１の処理系統を選択し、
前記原稿画像を２値化し前記画像メモリーに格納する処理時においては前記第２の処理系統を選択するための切り替え手段を備えたことを特徴とする請求項１に記載の画像処理装置。
【請求項３】
画像メモリーに格納された画像データを読み出す読み出し手段と、
画像データを印刷出力する転写手段とを備え、
前記画像データ制御手段は、
前記画像メモリーから読み出した多階調の画像データに対し前記画像処理手段による階調処理を施した後の画像データを前記転写手段に出力する第３の処理系統と、
前記画像メモリーから読み出した２値化の画像データを前記転写手段に出力する第４の処理系統とを備えたことを特徴とする請求項１または２に記載の画像処理装置。
【請求項４】
前記画像データ制御手段は、
前記画像メモリーに格納された多階調の画像データを前記転写手段から印刷出力する処理時においては、前記第３の処理系統を選択し、
前記画像メモリーに格納された２値化の画像データを前記転写手段から印刷出力する処理時においては、前記第４の処理系統を選択するための切り替え手段を備えたことを特徴とする請求項３に記載の画像処理装置。
【請求項５】
前記画像メモリーは、前記原稿を読み取った画像データと、該画像データに重ねて印字する印字データをそれぞれ格納し、
前記画像データ制御手段は、
前記画像メモリーに格納された多階調の画像データに対して前記印字データを重ねて印字する処理時には、前記第３の処理系統による画像処理を施した画像データと、前記印字データとを合成処理した画像データを前記転写手段に出力することを特徴とする請求項３または４に記載の画像処理装置。
【請求項６】
前記画像メモリーは、前記原稿を読み取った画像データと、該画像データに重ねて印字する印字データをそれぞれ格納し、
前記画像データ制御手段は、
前記画像メモリーに格納された２値化の画像データに対して前記印字データを重ねて印字する処理時には、前記第４の処理系統による画像処理を施した画像データと、前記印字データとを合成処理した画像データを前記転写手段に出力することを特徴とする請求項３または４に記載の画像処理装置。
【発明の詳細な説明】
【０００１】
【発明の属する技術分野】
この発明は、ディジタル画像データに対する画像処理、特に、複写機、ファクシミリ、プリンタ、スキャナー等の機能を複合したディジタル複合機において画像データに対する画像処理を行う画像処理装置に関する。
【０００２】
【従来の技術】
図１２は、従来のディジタル複写機（特開平９−１８６８３６号公報に開示）の構成を示すブロック図である。このディジタル複写機は、原稿画像をディジタル信号に変換し、データバスを介して転写画像１ページ分をフレーム画像メモリーに格納、または一旦ハードディスク等の補助記憶装置に格納する。そして、出力時に補助記憶装置からフレーム画像メモリーに１ページあるいは複数ページ分の画像信号を転送した後、プリンタエンジンにこれら画像信号を送り複写画像を得る。
【０００３】
上記のディジタル複写機は、ＬＡＮ（ローカルエリアネットワーク）やシリアル・パラレルインターフェースを介してパソコンからプリントコマンドを受け取り、フォント画像メモリーをアクセスしながらプリント画像をフレーム画像メモリーに展開し、その後プリンタエンジンへこれら画像信号を送ることでプリント画像を得るプリント機能を有している。
【０００４】
このディジタル複写機は、システム全体を制御する２つのＣＰＵ１２０１，１２０２と、これらのＣＰＵ１２０１，１２０２が実行すべきアプリケーションプログラムや必要なフォント情報等を記憶する主記憶メモリー１２０３と、ＣＰＵ１２０１，１２０２及び主記憶メモリー１２０３間を相互接続するＣＰＵバス１２３０とを備えている。
【０００５】
上記のアプリケーションプログラムや必要なフォント情報等は補助記憶装置１２２１から読み出されて主記憶メモリー１２０３にロードされるようになっている。ＣＰＵバス１２３０は、ＰＣＩブリッジ１２０４を介してＰＣＩバス１２３１と接続されると共にＰＣＩブリッジ１２０５を介してＰＣＩバス１２３２と接続されている。ＣＰＵバス１２３０には、またＰＣＩバスコントローラー１２０６が接続されている。このＰＣＩバスコントローラー１２０６は、ＰＣＩブリッジ１２０４によってサポートされるＰＣＩバス１２３１とＰＣＩブリッジ１２０５によってサポートされるＰＣＩバス１２３２との間のアービトレーション（競合調停）やＰＣＩバスプロトコルに対応した制御を行うようになっている。
【０００６】
ＰＣＩバス１２３１には、ディスプレイ装置１２１０を制御するためのディスプレイコントローラー１２０７と、タッチパネル１２０９を制御するためのタッチパネルコントローラー１２０８と、フレキシブルディスク装置やハードディスク装置等の補助記憶装置１２２１を制御するためのＦＤ・ＨＤインターフェース１２１１と、ホストコンピュータ（図示せず）との間でシリアル通信やパラレル通信を制御するためのシリアル・パラレルインターフェース１２１２と、ローカルエリアネットワーク等との間の通信を制御するためのネットワークインターフェース１２１３とが接続されている。
【０００７】
ＰＣＩバス１２３１には、また、フレームメモリー１２１６に対するデータ書込み・読み出しアドレスの生成や、フレームメモリー１２１７を構成するＤＲＡＭのリフレッシュ制御を行うためのＤＲＡＭコントローラー１２１４が接続されている。一方、ＰＣＩバス１２３２には、他のフレームメモリー１２１７に対するデータ書込み・読み出しアドレスの生成や、フレームメモリー１２１７を構成するＤＲＡＭのリフレッシュ制御を行うためのＤＲＡＭコントローラー１２１５と、ＤＭＡ転送制御用のＤＭＡコントローラー１２１８と、図示しないＳＣＳＩバスとの接続制御を行うＳＣＳＩインターフェース１２２０とが接続されている。
【０００８】
ＤＲＡＭコントローラー１２１４は、ＤＭＡコントローラー１２１８と、ビデオインターフェース１２１９とに接続され、同様にＤＲＡＭコントローラー１２１５もまた、ＤＭＡコントローラー１２１８と、ビデオインターフェース１２１９とに接続されている。そして、ＤＭＡコントローラー１２１８は、フレームメモリー１２１６に展開された画像データをＤＭＡ制御によりビデオインターフェース１２１９に直接転送したり、あるいはフレームメモリー１２１７に展開された画像データをＤＭＡ制御によりビデオインターフェース１２１９に直接転送するようになっている。ビデオインターフェース１２１９に転送された画像データは、プリンタエンジン（図示せず）に出力されるようになっている。
【０００９】
次に、以上のような構成のディジタル複写機の動作を説明する。なおここでは複数の原稿から読み取った複数ページ分の画像データを印刷出力するものとする。上位（ホスト）コンピュータからシリアル・パラレルインターフェース１２１２を介して入力され、あるいはネットワーク（図示せず）からネットワークインターフェース１２１３を介して入力された文字コードや制御コマンドは、ＣＰＵ１２０１（または１２０２）によって解読され、例えばフレームメモリー１２１７上に画像データ（ビットデータ）として展開される。
【００１０】
１ページ分の画像データが展開されたところで、ＣＰＵ１２０１はＤＭＡコントローラー１２１８を起動し、フレームメモリー１２１７上の１ページ分の画像データをビデオインターフェース１２１９に転送する。これにより、その画像データがプリンタエンジン（図示せず）に出力され、描画（印刷）が行われる。
【００１１】
次に、図１３は、従来の他の画像処理装置の構成を示すブロック図である。この装置は、特開２００１−１６９０２２号公報に開示され、ディジタル画像信号を転写紙に画像として再生する装置であり、特に、スキャナーから画像を読み込んで転写紙に画像を再生する装置である。
【００１２】
原稿を光学的に読み取る読み取りユニット１３０１は、原稿に対するランプ照射の反射光をミラー及びレンズにより受光素子に集光する。受光素子（本実施例ではＣＣＤを例とする）は、センサー・ボード・ユニット１３０２に搭載され、ＣＣＤにおいて電気信号に変換された画像信号はディジタル信号に変換された後、センサー・ボード・ユニット１３０２から出力される。センサー・ボード・ユニット１３０２から出力される画像信号は画像データ制御部１３０３に入力される。機能デバイス及びデータバス間における画像データの伝送は画像データ制御部１３０３が全て制御する。画像データ制御部１３０３は、画像データに関し、センサー・ボード・ユニット１３０２、パラレルバス１３０４、画像処理プロセッサー１３０５間のデータ転送、装置の全体制御を司るシステムコントローラー１３０６と画像データに対するプロセスコントローラー１３０７間の通信を行う。
【００１３】
センサー・ボード・ユニット１３０２からの画像信号は、画像データ制御部１３０３を経由して画像処理プロセッサー１３０５に転送され、光学系統及びディジタル信号への量子化に伴う信号劣化（スキャナー系統の信号劣化とする）を補正し、再度画像データ制御部１３０３へ出力される。画像処理プロセッサー１３０５から画像データ制御部１３０３へ転送されたデータは、画像データ制御部１３０３からパラレルバス１３０４を経由して画像メモリー・アクセス制御部１３０８に送られる。ここではシステムコントローラー１３０６の制御に基づき画像データとメモリー・モジュール１３０９のアクセス制御、外部のＰＣ（パソコン）１３１０のプリント用データの展開、画像メモリー有効活用のための画像データの圧縮／伸張を行う。
【００１４】
画像メモリー・アクセス制御部１３０８へ送られたデータは、データ圧縮後メモリー・モジュール１３０９へ蓄積し、蓄積データを必要に応じて読み出す。読み出したデータは伸張して本来の画像データに戻し、画像メモリー・アクセス制御部１３０８からパラレルバス１３０４経由で画像データ制御部１３０３へ戻される。画像データ制御部１３０３から画像処理プロセッサー１３０５への転送後は画質処理されビデオ・データ制御部１３１１でのパルス制御を行い、作像ユニット１３１２において転写紙上に再生画像を形成する。画像データの流れにおいて、パラレルバス１３０４及び画像データ制御部１３０３でのバス制御により、ＭＦＰ（Ｍｕｌｔｉｆｕｎｃｔｉｏｎ　Ｐｅｒｉｐｈｅｒａｌｓ）の機能を実現する。
【００１５】
ＦＡＸ送信機能は、読み取り画像データを画像処理プロセッサー１３０５にて画像処理を実施し、画像データ制御部１３０３及びパラレルバス１３０４を経由してファクシミリ制御ユニット１３１３へ転送する。ファクシミリ制御ユニット１３１３にて通信網へのデータ変換を行い、公衆回線１３１４へＦＡＸデータとして送信する。ＦＡＸ受信は、公衆回線１３１４からの回線データをファクシミリ制御ユニット１３１３にて画像データへ変換し、パラレルバス１３０４及び画像データ制御部１３０３を経由して画像処理プロセッサー１３０５へ転送される。この場合、特別な画質処理は行わず、ビデオ・データ制御部１３１１においてドット再配置及びパルス制御を行い、作像ユニット１３１２において転写紙上に再生画像を形成する。
【００１６】
複数ジョブ、例えば、コピー機能、ＦＡＸ送受信機能、プリンタ出力機能が並行に動作する状況において、読み取りユニット１３０１、作像ユニット１３１２及びパラレルバス１３０４使用権のジョブへの割り振りをシステムコントローラー１３０６及びプロセスコントローラー１３０７にて制御する。プロセスコントローラー１３０７は画像データの流れを制御し、システムコントローラー１３０６はシステム全体を制御し、各リソースの起動を管理する。ＭＦＰの機能選択は、操作パネル１３１５にて選択入力し、コピー機能、ＦＡＸ機能等の処理内容を設定する。
【００１７】
システムコントローラー１３０６とプロセスコントローラー１３０７は、パラレルバス１３０４、画像データ制御部１３０３及びシリアルバス１３１６を介して相互に通信を行う。画像データ制御部１３０３内においてパラレルバス１３０４とシリアルバス１３１６とのデータインターフェースのためのデータフォーマット変換を行う。
【００１８】
図１４は、画像処理プロセッサー１３０５の画像処理に係る構成を示すブロック図である。読み取り画像は、センサー・ボード・ユニット１３０２、画像データ制御部１３０３を介して画像処理プロセッサー１３０５の入力Ｉ／Ｆ１４０１からスキャナー画像処理部１４０２へ伝達され、読み取り画像信号の劣化補正を目的として、シェーディング補正、スキャナーγ補正、ＭＴＦ補正等を行う。補正処理ではないが、拡大／縮小の変倍処理も行う。読み取り画像データの補正処理終了後、出力Ｉ／Ｆ１４０３を介して画像データ制御部１３０３へ画像データを転送する。
【００１９】
転写紙への出力は、画像データ制御部１３０３からの画像データを入力Ｉ／Ｆ１４０４より受け、画質処理部１４０５において面積階調処理を行う。画質処理後のデータは、出力Ｉ／Ｆ１４０６を介してビデオ・データ制御部１３１１へ出力される。面積階調処理は、濃度変換、ディザ処理、誤差拡散処理等が有り、階調情報の面積近似を主な処理とする。一旦スキャナー画像処理された画像データを画像メモリー（メモリー・モジュール１３０９）に蓄積しておけば、画質処理を変えることによって種々の再生画像を確認することができる。
【００２０】
例えば、再生画像の濃度を振ってみたり、ディザマトリクスの線数を変更してみたりすることで、再生画像の雰囲気を変更できる。この時処理を変更する度に画像を読み取りユニット１３０１から読み込み直す必要はなく、メモリー・モジュール１３０９から格納画像を読み出せば同一データに対し、何度でも異なる処理を実施できる。
【００２１】
また、単体スキャナーの場合、スキャナー画像処理と階調処理を合せて実施し、画像データ制御部１３０３へ出力する。処理内容はプログラマブルに変更する。処理の切り替え、処理手順の変更等はコマンド制御部１４０７において管理する。
【００２２】
図１５は、画像データ制御部１３０３の構成を示すブロック図である。画像データ入出力制御部１５０１は、センサー・ボード・ユニット１３０２からの画像データを入力し、画像処理プロセッサー１３０５に対してデータを出力する。画像データ入力制御部１５０２では、画像処理プロセッサー１３０５でスキャナー画像補正されたデータが入力される。入力データはパラレルバス１３０４での転送効率を高めるためにデータ圧縮部１５０３でデータ圧縮し、データ変換部１５０４、パラレルデータＩ／Ｆ１５０５を介してパラレルバス１３０４へ送出される。
【００２３】
パラレルバス１３０４からパラレルデータＩ／Ｆ１５０５を介して入力される画像データは、バス転送のために圧縮されており、データ伸張部１５０６で伸張される。伸張された画像データは画像データ出力制御部１５０７において画像処理プロセッサー１３０５へ転送される。また、画像データ制御部１３０３は、パラレルデータとシリアルデータの変換機能を併せ持つ。システムコントローラー１３０６はパラレルバス１３０４にデータを転送し、プロセスコントローラー１３０７はシリアルバス１３１６にデータを転送し、２つのコントローラーの通信のためにデータ変換を行う。シリアルデータＩ／Ｆ１５０８は、画像処理プロセッサー１３０５用にもさらに１系統（シリアルデータＩ／Ｆ１５０９）設けられ、画像処理プロセッサー１３０５ともインターフェース接続される。
【００２４】
図１６は、ビデオ・データ制御部１３１１の構成を示すブロック図である。入力される画像データに対し、作像ユニット１３１２の特性に応じて、追加の処理を行う。エッジ平滑処理部１６０１は、ドットの再配置処理を行い、ドット形成のための画像信号のパルス制御をパルス制御部１６０２で行い、この画像データは作像ユニット１３１２を対象として出力される。また、パラレルデータＩ／Ｆ１６０３とシリアルデータＩ／Ｆ１６０４及びデータ変換部１６０５により、画像データの変換とは別に、パラレルデータとシリアルデータのフォーマット変換機能を併せ持ち、ビデオ・データ制御部１３１１単体でもシステムコントローラー１３０６とプロセスコントローラー１３０７の通信に対応できる。
【００２５】
図１７は、画像メモリー・アクセス制御部１３０８の構成を示すブロック図である。パラレルデータＩ／Ｆ１７０１において、パラレルバス１３０４との画像データのインターフェースを管理する。構成的にはメモリー・モジュール１３０９への画像データの格納／読み出しと、主に外部のＰＣ１３１０から入力されるコードデータの画像データへの展開を制御する。入力されたコードデータは、ラインバッファー１７０２において、ローカル領域でのデータの格納を行う。ラインバッファー１７０２に格納されたコードデータは、システムコントローラーＩ／Ｆ１７０３を介して入力されたシステムコントローラー１３０６からの展開処理命令に基づき、ビデオ制御部１７０４において画像データに展開される。
【００２６】
展開された画像データ、もしくはパラレルデータＩ／Ｆ１７０１を介してパラレルバス１３０４から入力された画像データは、メモリー・モジュール１３０９に格納される。この場合、データ変換部１７０５において格納対象となる画像データを選択し、データ圧縮部１７０６において画像メモリー使用効率を上げるためにデータ圧縮を行い、メモリーアクセス制御部１７０７にてメモリー・モジュール１３０９のアドレスを管理しながらメモリー・モジュール１３０９に画像データを格納する。メモリー・モジュール１３０９に格納された画像データの読み出しは、メモリーアクセス制御部１７０７にて読み出し先アドレスを制御し、読み出された画像データをデータ伸張部１７０８にて伸張する。伸張された画像データをパラレルバス１３０４へ転送する場合、パラレルデータＩ／Ｆ１７０１を介してデータ転送を行う。
【００２７】
図１８は、ファクシミリ制御ユニット１３１３の構成を示すブロック図である。ファクシミリ制御ユニット１３１３は、画像データを通信形式に変換して外部の通信回線に送信し、又、外部から受信したデータを画像データに戻して外部Ｉ／Ｆ部１８０１及びパラレルバス１３０４を介して作像ユニット１３１２において記録出力する。ファクシミリ制御ユニット１３１３は、ＦＡＸ画像処理部１８０２，画像メモリー１８０３，メモリー制御部１８０４，ファクシミリ制御部１８０５，画像圧縮伸張部１８０６，モデム１８０７，及び網制御装置１８０８からなる。
【００２８】
ＦＡＸ画像処理のうち受信画像に対する二値スムージング処理は、ビデオ・データ制御部１３１１のエッジ平滑処理部１６０１において行う。また、画像メモリーに関しても、出力バッファー機能に関しては画像メモリー・アクセス制御部１３０８及びメモリー・モジュール１３０９にその機能の一部を移行する。
【００２９】
このように構成されたファクシミリ制御ユニット１３１３では、画像情報の伝送を開始するとき、ファクシミリ制御部１８０５がメモリー制御部１８０４に指令し、画像メモリー１８０３から蓄積している画像情報を順次読み出させる。読み出された画像情報は、ＦＡＸ画像処理部１８０２によって元の信号に復元されるとともに、密度変換処理及び変倍処理がなされ、ファクシミリ制御部１８０５に加えられる。ファクシミリ制御部１８０５に加えられた画像信号は、画像圧縮伸張部１８０６によって符号圧縮され、モデム１８０７によって変調された後、網制御装置１８０８を介して宛先へと送出される。そして、送信が完了した画像情報は、画像メモリー１８０３から削除される。
【００３０】
受信時には、受信画像は一旦画像メモリー１８０３に蓄積され、その時に受信画像を記録出力可能であれば、１枚分の画像の受信を完了した時点で記録出力される。又、複写動作時に発呼されて受信を開始したときは、画像メモリー１８０３の使用率が所定値、例えば８０％に達するまでは画像メモリー１８０３に蓄積し、画像メモリー１８０３の使用率が８０％に達した場合には、その時に実行している書き込み動作を強制的に中断し、受信画像を画像メモリー１８０３から読み出し記録出力させる。
【００３１】
このとき画像メモリー１８０３から読み出した受信画像は、画像メモリー１８０３から削除し、画像メモリー１８０３の使用率が所定値、例えば１０％まで低下した時点で中断していた書き込み動作を再開させ、その書き込み動作を全て終了した時点で、残りの受信画像を記録出力させている。また、書き込み動作を中断した後に、再開できるように中断時における書き込み動作のための各種パラメータを内部的に退避させ、再開時に、パラメータを内部的に復帰させる。
【００３２】
図１３を用いて説明した画像処理装置におけるコピー実行時には、前述したように読み取りユニット１３０１にて読み取られた画像信号は、センサー・ボード・ユニット１３０２，画像データ制御部１３０３，画像処理プロセッサー１３０５，画像データ制御部１３０３へと転送され、画像データ制御部１３０３からパラレルバス１３０４及び画像メモリー・アクセス制御部１３０８を介してメモリー・モジュール１３０９に蓄積される。そしてしかる後に、画像信号は、メモリー・モジュール１３０９から画像メモリー・アクセス制御部１３０８及びパラレルバス１３０４を介して画像データ制御部１３０３に送られ、画像処理プロセッサー１３０５，ビデオ・データ制御部１３１１，作像ユニット１３１２に送られ転写画像を得る。
【００３３】
図１９は、コピー時の原稿読み取りとプリント処理の同時並行動作における画像データの流れを示す図であり、図２０は、このときの画像処理プロセッサー１３０５内の画像データの流れを示す図である。図中のパスＡは、コピー時の原稿読み取りのデータの流れを示し、読み取りユニット１３０１で読まれた原稿の画像データは、センサー・ボード・ユニット１３０２と画像データ制御部１３０３を介し、画像処理プロセッサー１３０５に送られる。画像処理プロセッサー１３０５内では、スキャナー画像処理部１４０２でスキャナー補正等の画像処理を行うａのパスを通り、再び画像データ制御部１３０３に戻され、パラレルバス１３０４を介してメモリー・モジュール１３０９に格納される。
【００３４】
一方、コピー画像のプリント時は図１９のパスＢで示され、メモリー・モジュール１３０９から読み出された原稿画像データは、パラレルバス１３０４，画像データ制御部１３０３を介し画像処理プロセッサー１３０５に送られる。画像処理プロセッサー１３０５内では画質処理部１４０５により１画素８ビットから１ビットあるいは２ビットへの階調処理を行うｂのパスを通り、ビデオ・データ制御部１３１１に送られることになる。以上により、コピー時の原稿読み取りと画像プロットの同時並行動作が実行される。
【００３５】
次に、スキャナー読み取りあるいはＦＡＸ送信時の原稿読み取りと、プリンタ出力あるいはＦＡＸ受信時の並行動作について示す。スキャナー読み取りとＦＡＸ送信時の原稿読み取り動作はほとんど同じで、図１９に示したパスＡで示され、画像処理プロセッサー１３０５内におけるパスは図２１に示すパスａに示す流れとなる。画像データ制御部１３０３より入力された原稿画像データは、スキャナー補正等のためにスキャナー画像処理部１４０２で処理された後、階調処理を行う画質処理部１４０５に送られ、その後画像データ制御部１３０３に戻され、メモリー・モジュール１３０９に格納されることになる。
【００３６】
【発明が解決しようとする課題】
しかしながら、上記説明した図１２に記載の上記構成のディジタル複合機においては、コピー（複写）機能の処理時における画像データの流れ（パス）や、スキャナーアプリケーション（外部接続されるＰＣ等でスキャナー読み取りを行うツールソフトウェア）及びＦＡＸ送信時の画像データ（２値化された画像データ）のパス、あるいは印字出力する際の画像データのパス、のそれぞれの流れ及びこれら各機能を同時に並行動作させる構成がなく、効率的な画像処理を行えなかった。
【００３７】
また、図１３を用いて説明した画像処理装置では、プリント出力とＦＡＸ受信時における画像データの流れは、図１９に示したパスＢで示されるが、画像処理プロセッサー１３０５内では図２１に示すパスｂとなる。上記のように、スキャナー読み取りあるいはＦＡＸ送信時の原稿読み取りと、プリンタ出力あるいはＦＡＸ受信を同時に行おうとすると、図２１に示す画像処理プロセッサー１３０５内における画像データのパスｂが画質処理部１４０５で重なってしまうためこれらを同時には実行できない。
【００３８】
このため、図２２のタイムチャートに示すように、スキャナー読み取りあるいはＦＡＸ送信時の原稿読み取りと、プリンタ出力あるいはＦＡＸ受信時の印字動作を１枚ずつ交互に行うインターリーブ方式で実行されるため、印字スピードを高速化できないという問題がある。
【００３９】
次に、プリント画像への印字について示す。図２３は原稿画像に対するスタンプ印字を説明する図である。図２３（ａ），（ｃ）は、原稿画像（画像データ）であり、図２３（ｂ）は、装置に予め登録されている丸秘スタンプを原稿画像に重ねて印字した状態である。ユーザーがよく使うスタンプ、例えば「丸秘」，「回収」，「回覧」，「複製厳禁」，「至急」等は、予め装置に登録されており、ユーザーがこれらのスタンプを選択することにより、原稿の画像データにスタンプが加えられた印字を得ることができる。スタンプにはこれとは別に、ユーザー特有のスタンプも印字することができる。
【００４０】
図２３（ｄ）は、ユーザー特有の「○○株式会社」というスタンプを原稿の画像データに印字した状態である。このようなユーザー特有のスタンプは、ユーザースタンプと呼称し使用されており、ユーザーがスタンプとして使いたい様式を登録することで、以後汎用のスタンプと同様に使用することができる。通常、これらの印字、すなわち画像データと印字データの合成は、コントローラー側の画像メモリー（メモリー・モジュール１３０９）を使用し、ＣＰＵによりソフト処理で行っている。この場合、コピー時の画像データは圧縮されおり、この圧縮された画像データと印字との合成を行うことになる。
【００４１】
図２４は、画像データの圧縮の領域を示す図であり、この図に示すように例えば主走査及び副走査方向でそれぞれ４×４画素の領域ごとに画像データは圧縮されており、これらと印字データの合成を行うため、解像度を上げることが難しい。また、コピーの画像の印字時には、この印字処理後のデータがパラレルバス１３０４，画像データ制御部１３０３を介して画像処理プロセッサー１３０５内でフィルタ処理等の階調処理が行われるため、印字がぼやけ、鮮明さに欠けることになる。さらに、コントローラー側の画像メモリー（メモリー・モジュール１３０９）を使用し、ＣＰＵによりソフト処理で印字処理を行うため、ＣＰＵの負荷が重くなり、コピーあるいはプリンタの印字スピードを向上できないという問題があった。
【００４２】
この発明は、上述した従来技術による問題点を解消するため、原稿の画像データの読み込み、ＦＡＸ送受信、画像データの格納、画像処理、印刷出力等の各機能を限られたリソースを用いて効率的に運用でき、処理効率を向上できるとともに、同時に複数機能の並行動作が行える画像処理装置を提供することを目的とする。
【００４３】
【課題を解決するための手段】
上述した課題を解決し、目的を達成するため、請求項１の発明に係る画像処理装置は、原稿画像をスキャナーを用いて読み取った際の画像データを画像メモリーに蓄積し、所望時に該画像データを前記画像メモリーから読み出し転写画像として印字出力する画像処理装置において、前記画像データに対し、前記スキャナーを用いた読み込み時のスキャナー補正を行う処理系統と、画像データに対する階調処理を実行する処理系統とを備えた画像処理手段と、前記画像処理手段によるスキャナー補正処理が施された画像データを受けて変倍、データ圧縮等の画像処理を行い前記画像メモリーに格納する第１の処理系統と、前記画像処理手段によるスキャナー補正処理が施された画像データを受けて変倍等の画像処理を行った後、該画像データを前記画像処理手段による前記階調処理を施して前記画像メモリーに格納する第２の処理系統とを備えた画像データ制御手段とを具備することを特徴とする。
【００４４】
この請求項１の発明によれば、スキャナー補正処理を施した画像データに対する変倍、データ圧縮等を行う第１の処理系統と、スキャナー補正処理を施した画像データに対する変倍等を行ってからさらに階調処理を施す第２の処理系統とを備えたので、画像データを読み込みから画像メモリーに格納するまでの処理を機能に応じて選択することができ、画像処理手段が有する処理機能を効率的に活用でき、機能別の画像処理を円滑に実行できるようになる。特に、ディジタル複合機におけるコピー時、ＦＡＸ送信時、スキャナアプリ（アプリケーション実行）時の画像処理のリソースを効率的に使用し、スキャナアプリあるいはＦＡＸ送信用画像処理を電気変倍後に実現できるようになる。また、スキャナアプリあるいはＦＡＸ送信時の原稿画像データ読み込み処理と、プリンタアプリあるいはＦＡＸ受信時のプリント処理の同時並行動作が実現でき、スループットの向上を図ることができる。
【００４５】
また、請求項２の発明に係る画像処理装置は、請求項１に記載の発明において、前記画像データ制御手段には、前記原稿画像を多階調で前記画像メモリーに格納する処理時においては前記第１の処理系統を選択し、前記原稿画像を２値化し前記画像メモリーに格納する処理時においては前記第２の処理系統を選択するための切り替え手段を備えたことを特徴とする。
【００４６】
この請求項２の発明によれば、切り替え手段の切り替えによって、異なる機能別の画像処理を実行することができ、特に、原稿画像を多階調で前記画像メモリーに格納するコピーのための原稿読み取りと、原稿画像を２値化し前記画像メモリーに格納するスキャナアプリ（あるいはＦＡＸ送信時）の原稿読み取りを、同じ原稿読み取りであっても機能別に異なる画像処理を施すことができ、かつこの際の画像データの流れを効率的に行えるようになる。
【００４７】
また、請求項３の発明に係る画像処理装置は、請求項１または２に記載の発明において、画像メモリーに格納された画像データを読み出す読み出し手段と、画像データを印刷出力する転写手段とを備え、前記画像データ制御手段は、前記画像メモリーから読み出した多階調の画像データに対し前記画像処理手段による階調処理を施した後の画像データを前記転写手段に出力する第３の処理系統と、前記画像メモリーから読み出した２値化の画像データを前記転写手段に出力する第４の処理系統とを備えたことを特徴とする。
【００４８】
この請求項３の発明によれば、画像メモリーから読み出す画像データが多階調の場合、階調処理を施して転写手段に出力する第３の処理系統と、読み出す画像データが２値化データの場合そのまま転写手段に出力する第４の処理系統とを備えたので、画像メモリーから画像データを読み出し転写手段から印刷出力するまでの処理を機能に応じて選択することができ、画像処理手段が有する処理機能を効率的に活用でき、機能別の画像処理を円滑に実行できるようになる。特に、ディジタル複合機におけるコピー時、プリンタアプリ（アプリケーション）時の各印刷出力のためのリソースを効率的に使用できるようになる。また、コピー時の原稿スキャンとプリンタ出力、スキャナーあるいはＦＡＸ送信時の原稿読み込みとプリンタアプリの同時並行動作が行えるようになる。
【００４９】
また、請求項４の発明に係る画像処理装置は、請求項３に記載の発明において、前記画像データ制御手段は、前記画像メモリーに格納された多階調の画像データを前記転写手段から印刷出力する処理時においては、前記第３の処理系統を選択し、前記画像メモリーに格納された２値化の画像データを前記転写手段から印刷出力する処理時においては、前記第４の処理系統を選択するための切り替え手段を備えたことを特徴とする。
【００５０】
この請求項４の発明によれば、切り替え手段の切り替えによって、異なる機能別の画像処理を実行することができ、特に、画像メモリーから多階調の画像データを読み出して画像処理を施すコピー、あるいは画像メモリーから２値化データを読み出すプリンタアプリ、の各印刷出力時であっても機能別に異なる画像処理を施すことができ、かつこの際の画像データの流れを効率的に行えるようになる。
【００５１】
また、請求項５の発明に係る画像処理装置は、請求項３または４に記載の発明において、前記画像メモリーは、前記原稿を読み取った画像データと、該画像データに重ねて印字する印字データをそれぞれ格納し、前記画像データ制御手段は、前記画像メモリーに格納された多階調の画像データに対して前記印字データを重ねて印字する処理時には、前記第３の処理系統による画像処理を施した画像データと、前記印字データとを合成処理した画像データを前記転写手段に出力することを特徴とする。
【００５２】
この請求項５の発明によれば、画像メモリーに格納された多階調の画像データを読み出し、このデータ圧縮を伴う画像データに日付、ページ、ユーザー登録等による印字データを重ね印字する際には、画像処理手段による階調処理後の画像データに対する重ね印字を施すため、印字データを鮮明に印字することができ、印字品質を向上できるようになる。この機能は画像制御手段を用いて行うため、印字速度の向上が図れるようになる。
【００５３】
また、請求項６の発明に係る画像処理装置は、請求項３または４に記載の発明において、前記画像メモリーは、前記原稿を読み取った画像データと、該画像データに重ねて印字する印字データをそれぞれ格納し、前記画像データ制御手段は、前記画像メモリーに格納された２値化の画像データに対して前記印字データを重ねて印字する処理時には、前記第４の処理系統による画像処理を施した画像データと、前記印字データとを合成処理した画像データを前記転写装置に出力することを特徴とする。
【００５４】
この請求項６の発明によれば、画像メモリーに格納された２値化の画像データを読み出し、画像データ制御手段を用いてこの画像データに日付、ページ、ユーザー登録等による印字データを重ね印字するため、印字速度の向上が図れるようになる。
【００５５】
【発明の実施の形態】
以下に添付図面を参照して、この発明に係る画像処理装置の好適な実施の形態を詳細に説明する。図１は、本発明の画像処理装置の全体構成を示すブロック図である。前述した従来構成の図１３と比べて各機能名は同一であり、同一構成部には同一の符号を附してある。
【００５６】
従来構成と異なる点は、センサー・ボード・ユニット１３０２からの原稿画像データをまず画像処理プロセッサー１３０５に入力し、その後画像データ制御部１３０３が受取るようにした点と、プロット時に画像処理プロセッサー１３０５からビデオ・データ制御部１３１１にプリント画像を転送するのでなく、画像データ制御部１３０３からビデオ・データ制御部１３１１に転送するように構成したことである。ここで、画像データ制御部１３０３と画像処理プロセッサー１３０５のビデオポートの数は、共に入力２、出力２であり、この図１と従来技術による構成（図１３）と変わりがない。従ってこの発明の構成においても、外部端子の数が増えることなくコストアップを招かない。画像処理プロセッサー１３０５の内部構成に変更はない。
【００５７】
図２は、画像データ制御部１３０３の内部構成を示すブロック図である。画像データ制御部１３０３は、画像処理プロセッサー１３０５から画像データ（原稿の画像データ）が入力される原稿データ入力制御部２０１と、変倍ブロック２０２，データ圧縮部１５０３，データ変換部１５０４，パラレルデータＩ／Ｆ１５０５，データ伸張部１５０６，画像処理プロセッサー１３０５に画像データを出力する画像データ出力制御部２０３を備える。
【００５８】
また、画像処理プロセッサー１３０５から画像データが入力されるもう１系統の画像データ入力制御部２０４と、ビデオ・データ制御部１３１１に画像データ（転写データ）を出力する転写データ出力制御部２０５を備える。
【００５９】
そして、画像データ制御部１３０３内部には、これら２系統の画像データの入力を切り替える複数のセレクタ１〜３（２０６〜２０８）を備える。これらセレクタ１〜３（２０６〜２０８）の切り替えによる画像データ制御部１３０３内部での画像データの流れの切替について以下に説明する。
【００６０】
図３は、画像処理装置全体におけるコピー（複写）時における原稿の画像データ読み込みと、コピーのプロット（印字出力）処理とを同時に並行動作させた時の画像データの流れを示す図である。図４は、この際の画像データ制御部１３０３内の画像データの流れを示す図である。
【００６１】
コピー時とは、原稿を多階調で読み取り、メモリー・モジュール１３０９に格納する処理を有する。また、コピーのプロット処理時とは、メモリー・モジュール１３０９から読み出した多階調のデータを２値化する画像処理を行い印刷出力する処理を有する。
【００６２】
図３に示すように、原稿の画像データの読み込みのパスＡでは、読み取りユニット１３０１で読み込まれた原稿の画像データは、センサー・ボード・ユニット１３０２を介し、画像処理プロセッサー１３０５に入力され、スキャナー補正等の処理を行い、画像データ制御部１３０３に出力され、パラレルバス１３０４，画像メモリー・アクセス制御部１３０８を経由して、コントローラー側メモリーであるメモリー・モジュール１３０９に格納される。
【００６３】
このとき、画像データ制御部１３０３内の画像パスは、図４に示すパスａとなり、原稿データ入力制御部２０１，変倍ブロック２０２，データ圧縮部１５０３，セレクタ２（２０７），データ変換部１５０４，パラレルデータＩ／Ｆ１５０５へと送られる。
【００６４】
一方、コピー時のプロット処理のパスＢでは、コントローラー側のメモリー・モジュール１３０９から読み出されたプロット画像は、パラレルバス１３０４，画像データ制御部１３０３を介して画像処理プロセッサー１３０５に入力され、画像処理プロセッサー１３０５内で階調処理を行った後、画像データ制御部１３０３に戻され、ビデオ・データ制御部１３１１に送られる。
【００６５】
このとき、図４のパスｂとパスｃが画像データ制御部１３０３内の画像パスとなり、画像処理プロセッサー１３０５に送られるパスｂでは、パラレルデータＩ／Ｆ１５０５，データ変換部１５０４，データ伸張部１５０６，セレクタ１（２０６），画像データ出力制御部２０３へと送られる。また階調処理後のデータは画像処理プロセッサー１３０５から画像データ入力制御部２０４に入力し、セレクタ３（２０８），転写データ出力制御部２０５からビデオ・データ制御部１３１１に印字用の画像データとして出力される。以上によって、コピー時の原稿の画像データ読み込みと、コピー時のプロット処理の同時並行動作を実現できる。
【００６６】
次に、図５は、スキャナーアプリの使用あるいはＦＡＸ送信時における原稿画像データの読み込み処理と、プリンタアプリの使用あるいはＦＡＸ受信時のプリント処理とを同時に並行動作させた時における画像データの流れを示す図、図６は、画像データ制御部１３０３内の画像データの流れを示す図である。
【００６７】
これら「アプリ」とはアプリケーションの略である。スキャナーアプリとは、外部のＰＣ１３１０上で実行動作し、読み取りユニット１３０１上の原稿を読み取るためのツールソフトであり、読み取った原稿を２値化してメモリー・モジュール１３０９に格納する。ＦＡＸ送信時においても同様に画像データを２値化する画像処理を行う。プリンタアプリとは、メモリー・モジュール１３０９から２値化された画像データを読み出し、外部のＰＣ１３１０に転送して印刷出力する機能であり、画像データに対する画像処理は行わず２値化された状態のまま印刷出力する。
【００６８】
図５に示す原稿の画像データの読み込みのパスＡでは、読み取りユニット１３０１で読み込まれた原稿の画像データは、センサー・ボード・ユニット１３０２を介し、画像処理プロセッサー１３０５に入力されスキャナー補正等の処理を行い、画像データ制御部１３０３に出力される。画像データ制御部１３０３内では、図６に示すパスａで示され、原稿データ入力制御部２０１，変倍ブロック２０２，セレクタ１（２０６），画像データ出力制御部２０３と転送され、画像処理プロセッサー１３０５へ出力される。画像処理プロセッサー１３０５では、入力された画像データに対して階調処理を行い、再び画像データ制御部１３０３に出力する。
【００６９】
このときの画像データ制御部１３０３内では、図６のパスｂで示され、画像データ入力制御部２０４，セレクタ２（２０７），データ変換部１５０４，パラレルデータＩ／Ｆ１５０５と転送され出力される。その後、パラレルバス１３０４，画像メモリー・アクセス制御部１３０８を経由して、コントローラー側のメモリー・モジュール１３０９に格納される。
【００７０】
一方、プリンタアプリあるいはＦＡＸ受信時のプロット処理は、図５のパスＢで示され、コントローラー側のメモリー・モジュール１３０９から読み出されたプリント画像は、パラレルバス１３０４，画像データ制御部１３０３を介してビデオ・データ制御部１３１１に送られる。
【００７１】
このとき、画像データ制御部１３０３内の画像パスは、図６のパスｃであり、パラレルデータＩ／Ｆ１５０５，データ変換部１５０４，セレクタ３（２０８），転写データ出力制御部２０５へと送られる。
【００７２】
以上によって、コピー時にはスキャナー補正処理のみ行い、一方、ＦＡＸ送信時の原稿読み取りでは１ビット２値データに変換し、スキャナーアプリ時には１ビット２値データあるいは８ビット多値データへの階調処理を行い、これらを最適なリソースを使って実現できる。
【００７３】
そして、コピーのプロット時には、コントローラー側メモリー（メモリー・モジュール１３０９）より階調処理前の画像データを読み出し、画像処理して１ビット２値、あるいは２ビット多値への階調処理を行い、転写装置（作像ユニット１３１２）に送ることができる。また、プリンタアプリ時はコントローラー側メモリー（メモリー・モジュール１３０９）より１ビット２値のプリント画像を読み出し、直接作像ユニット１３１２に送ることができるので効率的にリソースを使用することができる。加えて、スキャナーアプリあるいはＦＡＸ送信時の原稿画像データの読み込み処理と、プリンタアプリあるいはＦＡＸ受信時のプリント処理の同時並行動作を実現できるようになる。
【００７４】
次に、図７は、画像データ制御部１３０３で印字合成処理（上記スタンプ）を行う場合の構成を示すブロック図である。図示のようにこの構成では、印字処理部２０９が追加されている。
【００７５】
そして、図８は、コピー時の原稿の画像データ読み込みと、コピー時のプロット処理とを同時に並行動作させる際に印字合成を行う場合の画像データの流れを示す図、図９は、このときの画像データ制御部１３０３内の画像データの流れを示す図である。図８では、前述した図３に比べて、印字データの転送パスＣが追加されている。その他のパスＡ，Ｂは前述の図３の場合と同じである。
【００７６】
印字合成を行う場合は、コントローラー側メモリー（メモリー・モジュール１３０９）から印字合成の画像データを読み出し、パラレルバス１３０４を介して画像データ制御部１３０３内に入力され、その後図９のパスｄに示すように、パラレルデータＩ／Ｆ１５０５，データ変換部１５０４を経由して印字処理部２０９に転送される。印字処理部２０９では、パスｄの画像データと、画像処理プロセッサー１３０５から入力された階調処理後の画像データ（図９のパスｃ）とを印字合成し、その後、転写データ出力制御部２０５からビデオ・データ制御部１３１１にプロットデータとして出力する。
【００７７】
以上によって、コピー画像に日付やページ、あるいはユーザー登録のスタンプを印字合成する場合、コントローラー側メモリー（メモリー・モジュール１３０９）より階調処理前の圧縮された画像データを読み出し、伸張後、画像処理によりフィルタ操作を含む階調処理を行い、１画素当り１ビットあるいは２ビットの画素データに変換してから印字を合成するので、印字がぼけることなく鮮明できれいに印字合成することができる。またコントローラー側のＣＰＵによる合成を行う必要がないのでＣＰＵの負荷を軽減でき、プロット（印字処理）速度を向上させることができる。また、コピー時の原稿の画像データ読み込みとコピー時のプロット処理、及び印字合成の同時並行動作が実現される。
【００７８】
次に、図１０は、スキャナーアプリあるいはＦＡＸ送信時の原稿画像データ読み込み処理と、プリンタアプリあるいはＦＡＸ受信時のプリント処理と、印字合成処理とを同時に並行動作させた時の画像データの流れを示す図である。図１１は、このときの画像データ制御部１３０３内での画像データの流れを示す図である。図１０には、前述した図５に比べて、印字データの転送パスＣが追加されている。その他のパスは前述した図５の場合と同じである。
【００７９】
印字合成を行う場合は、コントローラー側メモリー（メモリー・モジュール１３０９）から印字合成用の画像データを読み出し、パラレルバス１３０４を介して画像データ制御部１３０３内に入力される。その後、図１１のパスｄに示すように、パラレルデータＩ／Ｆ１５０５，データ変換部１５０４を経由し、印字処理部２０９に転送される。プリント用の画像データも、この流れと同様にパラレルデータＩ／Ｆ１５０５からパスＣにて入力され、データ変換部１５０４，セレクタ３（２０８）を経由し印字処理部２０９に転送される。印字処理部２０９は、これらプリントの画像データと印字合成の画像データを印字合成し、転写データ出力制御部２０５からビデオ・データ制御部１３１１にプロットデータとして出力する。
【００８０】
以上によって、プリント用の画像データに日付やページ、あるいはユーザー登録のスタンプ等を印字合成することができる。この印字合成時、コントローラー側メモリー（メモリー・モジュール１３０９）よりプリンタ画像と印字データをそれぞれ読み出し印字を合成するので、コントローラー側のＣＰＵによる合成を行う必要がなくなり、プリンタの大きな仕様である印字出力の速度を大きく向上させることができるようになる。また、スキャナーアプリ（読み込み処理）あるいはＦＡＸ送信時の原稿画像データ読み込み処理と、プリンタアプリ（印字出力処理）あるいはＦＡＸ受信時のプリント処理と、印字合成処理とを同時に並行動作させることを実現できるようになる。
【００８１】
なお、本実施の形態で説明した画像処理に係る各構成の制御手順は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００８２】
【発明の効果】
以上説明したように、請求項１に記載の発明によれば、原稿画像をスキャナーを用いて読み取った際の画像データを画像メモリーに蓄積し、所望時に該画像データを前記画像メモリーから読み出し転写画像として印字出力する画像処理装置において、前記画像データに対し、前記スキャナーを用いた読み込み時のスキャナー補正を行う処理系統と、画像データに対する階調処理を実行する処理系統とを備えた画像処理手段と、前記画像処理手段によるスキャナー補正処理が施された画像データを受けて変倍、データ圧縮等の画像処理を行い前記画像メモリーに格納する第１の処理系統と、前記画像処理手段によるスキャナー補正処理が施された画像データを受けて変倍等の画像処理を行った後、該画像データを前記画像処理手段による前記階調処理を施して前記画像メモリーに格納する第２の処理系統とを備えた画像データ制御手段とを具備するので、画像データを読み込みから画像メモリーに格納するまでの処理を機能に応じて選択することができ、画像処理手段が有する処理機能を効率的に活用でき、機能別の画像処理を円滑に実行できるようになる。特に、ディジタル複合機におけるコピー時、ＦＡＸ送信時、スキャナアプリ（アプリケーション実行）時の画像処理のリソースを効率的に使用し、スキャナアプリあるいはＦＡＸ送信用画像処理を電気変倍後に実現できるようになる。また、スキャナアプリあるいはＦＡＸ送信時の原稿画像データ読み込み処理と、プリンタアプリあるいはＦＡＸ受信時のプリント処理の同時並行動作が実現でき、スループットの向上を図ることができるという効果を奏する。
【００８３】
また、請求項２に記載の発明によれば、請求項１に記載の発明において、前記画像データ制御手段には、前記原稿画像を多階調で前記画像メモリーに格納する処理時においては前記第１の処理系統を選択し、前記原稿画像を２値化し前記画像メモリーに格納する処理時においては前記第２の処理系統を選択するための切り替え手段を備えたので、切り替え手段の切り替えによって、異なる機能別の画像処理を実行することができ、特に、原稿画像を多階調で前記画像メモリーに格納するコピーのための原稿読み取りと、原稿画像を２値化し前記画像メモリーに格納するスキャナアプリ（あるいはＦＡＸ送信時）の原稿読み取りを、同じ原稿読み取りであっても機能別に異なる画像処理を施すことができ、かつこの際の画像データの流れを効率的に行えるという効果を奏する。
【００８４】
また、請求項３に記載の発明によれば、請求項１または２に記載の発明において、画像メモリーに格納された画像データを読み出す読み出し手段と、画像データを印刷出力する転写手段とを備え、前記画像データ制御手段は、前記画像メモリーから読み出した多階調の画像データに対し前記画像処理手段による階調処理を施した後の画像データを前記転写手段に出力する第３の処理系統と、前記画像メモリーから読み出した２値化の画像データを前記転写手段に出力する第４の処理系統とを備えたので、画像メモリーから画像データを読み出し転写手段から印刷出力するまでの処理を機能に応じて選択することができ、画像処理手段が有する処理機能を効率的に活用でき、機能別の画像処理を円滑に実行できるようになる。特に、ディジタル複合機におけるコピー時、プリンタアプリ（アプリケーション）時の各印刷出力のためのリソースを効率的に使用できるようになる。また、コピー時の原稿スキャンとプリンタ出力、スキャナーあるいはＦＡＸ送信時の原稿読み込みとプリンタアプリの同時並行動作が行えるという効果を奏する。
【００８５】
また、請求項４に記載の発明によれば、請求項３に記載の発明において、前記画像データ制御手段は、前記画像メモリーに格納された多階調の画像データを前記転写手段から印刷出力する処理時においては、前記第３の処理系統を選択し、前記画像メモリーに格納された２値化の画像データを前記転写手段から印刷出力する処理時においては、前記第４の処理系統を選択するための切り替え手段を備えたので、切り替え手段の切り替えによって、異なる機能別の画像処理を実行することができ、特に、画像メモリーから多階調の画像データを読み出して画像処理を施すコピー、あるいは画像メモリーから２値化データを読み出すプリンタアプリ、の各印刷出力時であっても機能別に異なる画像処理を施すことができ、かつこの際の画像データの流れを効率的に行えるという効果を奏する。
【００８６】
また、請求項５に記載の発明によれば、請求項３または４に記載の発明において、前記画像メモリーは、前記原稿を読み取った画像データと、該画像データに重ねて印字する印字データをそれぞれ格納し、前記画像データ制御手段は、前記画像メモリーに格納された多階調の画像データに対して前記印字データを重ねて印字する処理時には、前記第３の処理系統による画像処理を施した画像データと、前記印字データとを合成処理した画像データを前記転写手段に出力するので、画像メモリーに格納された多階調の画像データを読み出し、このデータ圧縮を伴う画像データに日付、ページ、ユーザー登録等による印字データを重ね印字する際には、画像処理手段による階調処理後の画像データに対する重ね印字を施すため、印字データを鮮明に印字することができ、印字品質を向上できるようになる。この機能は画像制御手段を用いて行うため、印字速度の向上が図れるという効果を奏する。
【００８７】
また、請求項６に記載の発明によれば、請求項３または４に記載の発明において、前記画像メモリーは、前記原稿を読み取った画像データと、該画像データに重ねて印字する印字データをそれぞれ格納し、前記画像データ制御手段は、前記画像メモリーに格納された２値化の画像データに対して前記印字データを重ねて印字する処理時には、前記第４の処理系統による画像処理を施した画像データと、前記印字データとを合成処理した画像データを前記転写手段に出力するので、画像メモリーに格納された２値化の画像データを読み出し、画像データ制御手段を用いてこの画像データに日付、ページ、ユーザー登録等による印字データを重ね印字するため、印字速度の向上が図れるという効果を奏する。
【図面の簡単な説明】
【図１】本発明の画像処理装置の全体構成を示すブロック図である。
【図２】画像データ制御部の内部構成を示すブロック図である。
【図３】画像処理装置全体におけるコピー時の原稿の画像データ読み込みと、コピー時のプロット処理とを同時に並行動作させた時の画像データの流れを示す図である。
【図４】図３に示す同時並行動作時における画像データ制御部内の画像データの流れを示す図である。
【図５】スキャナーアプリ（読み込み処理）あるいはＦＡＸ送信時の原稿画像データ読み込み処理と、プリンタアプリ（印字処理）あるいはＦＡＸ受信時のプリント処理を同時に並行動作させた時における画像データの流れを示す図である。
【図６】画像データ制御部内の画像データの流れを示す図である。
【図７】画像データ制御部で印字合成処理を行う場合の構成を示すブロック図である。
【図８】コピー時の原稿の画像データ読み込みと、コピー時のプロット処理とを同時に並行動作させる際に印字合成を行う場合の画像データの流れを示す図である。
【図９】図８に示す同時並行動作時における印字合成を行う場合の画像データ制御部内の画像データの流れを示す図である。
【図１０】スキャナーアプリあるいはＦＡＸ送信時の原稿画像データ読み込み処理と、プリンタアプリあるいはＦＡＸ受信時のプリント処理と、印字合成処理とを同時に並行動作時させた時の画像データの流れを示す図である。
【図１１】図１０に示す同時並行動作時における画像データ制御部内での画像データの流れを示す図である。
【図１２】従来のディジタル複写機の構成を示すブロック図である。
【図１３】従来の他の画像処理装置の構成を示すブロック図である。
【図１４】図１３に示す装置の画像処理プロセッサーの画像処理に係る構成を示すブロック図である。
【図１５】図１３に示す装置の画像データ制御部の構成を示すブロック図である。
【図１６】図１３に示す装置のビデオ・データ制御部の構成を示すブロック図である。
【図１７】図１３に示す装置の画像メモリー・アクセス制御部の構成を示すブロック図である。
【図１８】図１３に示す装置のファクシミリ制御ユニットの構成を示すブロック図である。
【図１９】コピー時の原稿読み取りとプリント処理の同時並行動作における画像データの流れを示す図である。
【図２０】図１９に示す動作時における画像処理プロセッサー内の画像データの流れを示す図である。
【図２１】スキャナー読み取りあるいはＦＡＸ送信時の原稿読み取りと、プリンタ出力あるいはＦＡＸ受信時の並行動作における画像処理プロセッサー内の画像データの流れを示す図である。
【図２２】スキャナー読み取りあるいはＦＡＸ送信時の原稿読み取りと、プリンタ出力あるいはＦＡＸ受信時の印字動作を並行動作させた際のタイムチャートである。
【図２３】原稿画像に対するスタンプ印字を説明する図である。
【図２４】画像データの圧縮の領域を示す図である。
【符号の説明】
２０１　原稿データ入力制御部
２０２　変倍ブロック
２０３　画像データ出力制御部
２０４　画像データ入力制御部
２０５　転写データ出力制御部
２０６〜２０８　セレクタ（セレクタ１〜３）
１３０１　読み取りユニット
１３０２　センサー・ボード・ユニット
１３０３　画像データ制御部
１３０４　パラレルバス
１３０５　画像処理プロセッサー
１３０６　システムコントローラー
１３０７　プロセスコントローラー
１３０８　画像メモリー・アクセス制御部
１３０９　メモリー・モジュール
１３１０　ＰＣ
１３１１　ビデオ・データ制御部
１３１２　作像ユニット
１３１３　ファクシミリ制御ユニット
１３１４　公衆回線
１３１５　操作パネル
１３１６　シリアルバス
１５０３　データ圧縮部
１５０４　データ変換部
１５０５　パラレルデータＩ／Ｆ
１５０６　データ伸張部
【図１】
2004048113.tif 000003
【図２】
2004048113.tif 000004
【図３】
2004048113.tif 000005
【図４】
2004048113.tif 000006
【図５】
2004048113.tif 000007
【図６】
2004048113.tif 000008
【図７】
2004048113.tif 000009
【図８】
2004048113.tif 000010
【図９】
2004048113.tif 000011
【図１０】
2004048113.tif 000012
【図１１】
2004048113.tif 000013
【図１２】
2004048113.tif 000014
【図１３】
2004048113.tif 000015
【図１４】
2004048113.tif 000016
【図１５】
2004048113.tif 000017
【図１６】
2004048113.tif 000018
【図１７】
2004048113.tif 000019
【図１８】
2004048113.tif 000020
【図１９】
2004048113.tif 000021
【図２０】
2004048113.tif 000022
【図２１】
2004048113.tif 000023
【図２２】
2004048113.tif 000024
【図２３】
2004048113.tif 000025
【図２４】
2004048113.tif 000026